(57)【要約】【課題】効率的な広告を配信するためのサーバ、情報処理方法、またはネットワークシステムを提供する。【解決手段】電気機器２００と、入力装置３００と、入力装置３００に広告の対象としての入力された商品またはサービスに基づいて第１の音声の種類を特定し、第１の音声の種類に基づいて電気機器に商品またはサービスの広告を音声出力させるためのサーバ１００とを備える、ネットワークシステム１が提供される。【選択図】図１
2019152969.tif 000002
【特許請求の範囲】
【請求項１】
電気機器と、
入力装置と、
前記入力装置に広告の対象としての入力された商品またはサービスに基づいて第１の音声の種類を特定し、前記第１の音声の種類に基づいて前記電気機器に前記商品またはサービスの広告を音声出力させるためのサーバとを備える、ネットワークシステム。
【請求項２】
前記サーバは、さらに、前記広告の依頼者に基づいて第２の音声の種類を特定し、前記第２の音声の種類に基づいて前記電気機器に前記商品またはサービスの広告を音声出力させる、請求項１に記載のネットワークシステム。
【請求項３】
前記第１の音声の種類は、ジングルとＢＧＭと声色のうちの１つであって、
前記第２の音声の種類は、ジングルとＢＧＭと声色のうちの別の１つである、請求項２に記載のネットワークシステム。
【請求項４】
前記サーバは、さらに、前記商品またはサービスまたはジャンルまたは前記広告の依頼者に基づいて前記広告を音声出力させる電気機器の種類を選択する、請求項２または３に記載のネットワークシステム。
【請求項５】
入力装置に広告の対象としての商品またはサービスが入力されるステップと、
サーバが前記商品またはサービスに対応する第１の音声の種類を特定するステップと、
前記サーバが前記第１の音声の種類に基づいて電気機器に前記商品またはサービスの広告を音声出力させるステップとを備える、情報処理方法。
【請求項６】
電気機器と入力装置と通信するための通信インターフェイスと、
前記入力装置に広告の対象としての入力された商品またはサービスに基づいて第１の音声の種類を特定し、前記第１の音声の種類に基づいて前記電気機器に前記商品またはサービスの広告を音声出力させるためのプロセッサとを備える、サーバ。
【発明の詳細な説明】
【技術分野】
【０００１】
本発明は、広告配信のための技術に関する。
【背景技術】
【０００２】
従来から、ネットワーク通信を利用した広告の配信に関する技術が知られている。たとえば、特開２００２−５５９９６号公報（特許文献１）には、広告つきの情報サービスを提供するＷＷＷサーバが開示されている。特許文献１によると、利用者の属性に応じて広告番組（画像）を選び、しかも、利用者の属性に応じて広告番組に付けるＢＧＭ等の音声番組も利用者の属性に応じて選ぶ。
【先行技術文献】
【特許文献】
【０００３】
【特許文献１】特開２００２−５５９９６号公報
【発明の概要】
【発明が解決しようとする課題】
【０００４】
本発明の目的は、効率的な広告を配信するためのサーバ、情報処理方法、またはネットワークシステムを提供することにある。
【課題を解決するための手段】
【０００５】
この発明のある態様に従うと、電気機器と、入力装置と、入力装置に広告の対象としての入力された商品またはサービスに基づいて第１の音声の種類を特定し、第１の音声の種類に基づいて電気機器に商品またはサービスの広告を音声出力させるためのサーバとを備える、ネットワークシステムが提供される。
【発明の効果】
【０００６】
以上のように、本発明によれば、効率的な広告を配信するためのネットワークシステム、情報処理方法、およびサーバが提供される。
【図面の簡単な説明】
【０００７】
【図１】第１の実施の形態にかかるネットワークシステム１の全体構成と動作概要とを示すイメージ図である。
【図２】第１の実施の形態にかかるサーバ１００の構成を示すブロック図である。
【図３】第１の実施の形態にかかる広告依頼者データ１２１を示すイメージ図である。
【図４】第１の実施の形態にかかる商品サービスデータ１２２を示すイメージ図である。
【図５】第１の実施の形態にかかるジャンルデータ１２３を示すイメージ図である。
【図６】第１の実施の形態にかかるユーザデータ１２４を示すイメージ図である。
【図７】第１の実施の形態にかかるサーバ１００の情報処理を示すフローチャートである。
【図８】第１の実施の形態にかかる電気機器２００の構成を示すブロック図である。
【図９】第１の実施の形態にかかる通信端末３００の構成を示すブロック図である。
【図１０】第１の実施の形態にかかる通信端末３００の画面例を示すイメージ図である。
【図１１】第２の実施の形態にかかるマニュアル広告データ１２５を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成＞
【０００９】
まず、図１を参照して、本実施の形態にかかるネットワークシステム１の全体構成について説明する。本実施の形態にかかるネットワークシステム１は、主に、家電制御サーバ１００Ａと、広告の出力方法を選択するためのマッチングサーバ１００Ｂと、広告を取りまとめる広告サーバ１００Ｃと、広報担当者や店舗などから広告を受け付ける店舗サーバ１００Ｄと、ユーザ宅に配置される冷蔵庫２００Ａや電子レンジ２００Ｂやエアコン２００Ｃやスピーカ２００Ｄやテレビ２００Ｅなどの電気機器と、店舗やメーカで使用されるタブレット３００Ａなどの通信端末などを含む。
【００１０】
なお、電気機器は、冷蔵庫２００Ａや電子レンジ２００Ｂやエアコン２００Ｃやスピーカ２００Ｄやテレビ２００Ｅに限らず、自走式掃除機や炊飯器や洗濯機などの家電、ハードディスクレコーダ、音楽プレーヤー、プロジェクタ、ゲーム機器などのＡＶ（オーディオ・ビジュアル）機器、太陽光発電機、インターホン、給湯器などの住宅設備、などであってもよい。なお、以下ではこれらを総称して電気機器２００ともいう。
【００１１】
また、通信端末も、タブレット３００Ａに限らず、パーソナルコンピュータやスマートフォンなど、データが入力可能な他の通信装置であってもよい。なお、以下では、これらを総称して通信端末３００ともいう。
【００１２】
また、家電制御サーバ１００Ａと、マッチングサーバ１００Ｂと、広告サーバ１００Ｃと、店舗サーバ１００Ｄとは、総称して単にサーバ１００ともいう。
＜ネットワークシステム１の動作概要＞
【００１３】
本実施の形態にかかるネットワークシステム１においては、商品やサービスを提供するための店舗の管理者や広告担当者が、通信端末３００を利用して所望の商品やサービスの広告の情報を店舗サーバ１００Ｄに送信する。広告には、商品やサービスやそれらのジャンルや広告用のテキストや画像などが含まれる。店舗サーバ１００Ｄは、店舗毎に配置されてもよいし、複数の店舗を統括すべるための本社のサーバであってもよい。
【００１４】
店舗サーバ１００Ｄは、受け付けた広告の情報を広告サーバ１００Ｃに送信する。広告サーバ１００Ｃは、複数の会社からの依頼を受けて広告配信サービスを提供する業者によって管理・運営される。広告サーバ１００Ｃは、広告のデータをマッチングサーバ１００Ｂに送信する。
【００１５】
マッチングサーバ１００Ｂは、受け付けた広告に基づいて、広告の対象となる商品やサービスに対応する広告の出力方法を選択する。たとえば、マッチングサーバ１００Ｂは、広告の依頼者である店舗やメーカや商品やサービスやジャンルなどに応じて、広告を出力する際のジングルや、広告の音声メッセージのキャラクターや、広告の出力装置としての電気機器２００の種類や、広告のＢＧＭなどを決定する。マッチングサーバ１００Ｂは、選択された出力方法と広告自体とを家電制御サーバ１００Ａに送信する。家電制御サーバ１００Ａは、指定された出力方法によって当該広告を電気機器２００に音声や映像によって出力させる。
【００１６】
このように、本実施の形態においては、商品やサービスに適した出力方法にて広告が出力される。以下、このような機能を実現するためのネットワークシステム１の具体的な構成について詳述する。
＜サーバ１００の構成＞
【００１７】
図２を参照して、本実施の形態にかかるネットワークシステム１を構成するサーバ１００の構成の一態様について説明する。サーバ１００は、主たる構成要素として、ＣＰＵ１１０と、メモリ１２０と、操作部１４０と、通信インターフェイス１６０などを含む。
【００１８】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１９】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、その他の本実施の形態にかかる家電管理サービスに利用されるデータベースなどを記憶する。たとえば、マッチングサーバ１００Ｂのメモリ１２０は、依頼者データ１２１、商品サービスデータ１２２、ジャンルデータ１２３、ユーザデータ１２４などを記憶する。
【００２０】
より詳細には、依頼者データ１２１は、図３に示すように、広告配信を依頼する店舗やメーカや事業者毎に、店舗やメーカや事業者の識別情報と、店舗やメーカや事業者の名称と、パスワードと、広告を出力する際に発するジングルの種類などが登録されている。これによって電気機器２００のユーザは、今から電気機器２００が出力する広告がどこのお店の広告であるか解りやすくなる。
【００２１】
商品サービスデータ１２２は、図４に示すように、広告の対象となる商品やサービス毎に、商品やサービスの識別情報と、商品やサービスの名称と、商品やサービスのジャンルと、広告の音声メッセージの話者の性別と、広告の音声メッセージの話者の年齢と、広告の音声メッセージの話者のその他の特性などが登録されている。すなわち、本実施の形態においては、商品やサービス毎に、広告メッセージの声色の種類が登録されている。たとえば、男の子供用のおもちゃに対してはテレビ番組のヒーローの声優の声色などが登録されたり、女の子供用のおもちゃに対してはテレビ番組の少女の声優の声色などが登録されたり、男性が購入することが多い商品やサービスに対しては女性の俳優やアナウンサーの声色が登録されたり、女性が購入することが多い商品やサービスに対しては若手男性アイドルの声色が登録されたりすることによって、ユーザがより広告に興味を示しやすくすることができる。
【００２２】
ジャンルデータ１２３は、図５に示すように、広告の対象となる商品やサービスのジャンル毎に、商品やサービスのジャンルの識別情報と、商品やサービスのジャンルの名称と、商品やサービスのジャンルに適した広告のＢＧＭと、商品やサービスのジャンルに適した出力装置の種類などが登録されている。
【００２３】
ユーザデータ１２４は、図６に示すように、広告配信サービスに登録されているユーザ毎に、ユーザの識別情報と、ユーザ名と、パスワードと、ユーザの機器の識別情報と、ユーザの機器の種類と、ユーザの機器のアドレスなどが登録されている。なお、一人のユーザに複数の機器が対応付けられてもよいし、１つの機器に複数のユーザが対応付けられてもよい。
【００２４】
図２に戻って、操作部１４０は、サーバ１００の管理者などからの命令を受け付けて、当該命令をＣＰＵ１１０に入力する。
【００２５】
通信インターフェイス１６０は、ＣＰＵ１１０からのデータを、インターネット、キャリア網、ルータ４００などを介して、電気機器２００や他のサーバや通信端末３００などの他の装置に送信する。逆に、通信インターフェイス１６０は、インターネット、キャリア網、ルータ４００などを介して他の装置からのデータを受信して、ＣＰＵ１１０に受け渡す。
【００２６】
そして特に、本実施の形態にかかるマッチングサーバ１００Ｂは、広告サーバ１００Ｃから広告用のデータを受け付けると以下の処理を実行する。
【００２７】
図７を参照して、ＣＰＵ１１０は、広告サーバ１００Ｃから受信したデータから広告の依頼者を特定する（ステップＳ１０２）。ＣＰＵ１１０は、依頼者データ１２１を参照して依頼者に対応するジングルを決定する（ステップＳ１０４）。
【００２８】
ＣＰＵ１１０は、受信したデータから広告の対象となる商品やサービスを特定する（ステップＳ１０６）。ＣＰＵ１１０は、商品サービスデータ１２２を参照して性別・年齢・キャラクターなどの声色を決定する（ステップＳ１０８）。
【００２９】
ＣＰＵ１１０は、商品サービスデータ１２２を参照して商品やサービスのジャンルを決定する（ステップＳ１１０）。ＣＰＵ１１０は、ジャンルデータ１２３を参照してジャンルに対応するＢＧＭを決定する（ステップＳ１１２）。ＣＰＵ１１０は、ジャンルデータ１２３を参照して、ジャンルに適した出力機器の種類を特定する（ステップＳ１１４）。
【００３０】
ＣＰＵ１１０は、ユーザデータ１２４を参照して、選択された出力機器の種類とおなじ電気機器２００を有するユーザや当該電気機器２００のアドレスを抽出する（ステップＳ１１６）。ＣＰＵ１１０は、選択されたキャラクターの声色で広告の音声メッセージを作成し、選択されたジングルとＢＧＭとを組み合わせて、広告用の音声データを作成する（ステップＳ１１８）。ＣＰＵ１１０は、通信インターフェイス１６０を介して、抽出した電気機器２００に当該広告用の音声データを送信する（ステップＳ１２０）。
【００３１】
これによって、電気機器２００が、サーバ１００からの音声データに基づいて広告用の音声を出力する。
＜電気機器２００の構成＞
【００３２】
図８を参照して、ネットワークシステム１を構成する電気機器２００の構成の一態様について説明する。本実施の形態にかかる電気機器２００は、主たる構成要素として、ＣＰＵ２１０と、メモリ２２０と、ディスプレイ２３０、操作部２４０と、通信インターフェイス２６０と、スピーカ２７０と、各種センサ２８０と、機器駆動部２９０とを含む。
【００３３】
ＣＰＵ２１０は、メモリ２２０あるいは外部の記憶媒体に記憶されているプログラムを実行することによって、電気機器２００の各部を制御する。
【００３４】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３５】
ディスプレイ２３０は、ＣＰＵ２１０からの信号に応じて、画像やテキストを出力する。操作部２４０は、ボタンなどによって実現され、ユーザからの命令を受け付けて、当該命令をＣＰＵ２１０に入力する。なお、ディスプレイ２３０と操作部２４０とはタッチパネルを構成してもよい。
【００３６】
通信インターフェイス２６０は、有線通信あるいは無線通信によって他の装置との間でデータをやり取りする。すなわち、通信インターフェイス２６０は、ＣＰＵ２１０からのデータを受け付けて、ルータ４００などを介して当該データをサーバ１００などの他の装置に送信したり、逆に他の装置から各種のデータを受信してＣＰＵ２１０に入力したりする。
【００３７】
スピーカ２７０は、ＣＰＵ２１０からの信号に基づいて、各種音声や音やメロディーを出力する。
【００３８】
各種センサ２８０は、人感センサや扉開閉センサなどであって、人や動作を検知したことを示す信号をＣＰＵ２１０に入力する。
【００３９】
機器駆動部２９０は、ＣＰＵ２１０からの信号に基づいて、電気機器の各部、たとえば圧縮機やファンやその他のモータやヒータなど、を制御する。
【００４０】
本実施の形態においては、電気機器２００のＣＰＵ２１０は、通信インターフェイス２６０を介してサーバ１００から広告の音声データや画像データを受信して、当該データをメモリ２２０に格納する。そして、ＣＰＵ２１０は、扉が開閉されたときや、所定の操作命令を入力された際や、発話ボタンが押された際などに、当該データに基づいてスピーカ２７０やディスプレイ２３０に広告用の音声や画像を出力させる。
＜通信端末３００の構成＞
【００４１】
図９を参照して、本実施の形態にかかる通信端末３００などの通信端末の構成の一態様について説明する。通信端末３００は、主たる構成要素として、ＣＰＵ３１０と、メモリ３２０と、ディスプレイ３３０と、操作部３４０と、通信インターフェイス３６０と、スピーカ３７０と、マイク３８０などを含む。
【００４２】
ＣＰＵ３１０は、メモリ３２０に記憶されているプログラムを実行することによって、通信端末３００の各部を制御する。
【００４３】
メモリ３２０は、各種のＲＡＭや各種のＲＯＭなどによって実現される。メモリ３２０は、ＣＰＵ３１０によって実行されるプログラムたとえば広告入力用のアプリケーションプログラムや、ＣＰＵ３１０によるプログラムの実行により生成されたデータ、入力されたデータ、その他の本実施の形態にかかる広告配信サービスに利用されるデータベースなどを記憶する。
【００４４】
ディスプレイ３３０は、ＣＰＵ３１０からの信号に基づいて、テキストや画像を表示する。操作部３４０は、ユーザなどの命令を受け付けて、当該命令をＣＰＵ３１０に入力する。たとえば、ＣＰＵ３１０は、広告配信用のアプリケーションプログラムに基づいて、ディスプレイ３３０に広告入力画面を表示して、操作部３４０を介して広告の入力を受け付ける。なお、ディスプレイ３３０と操作部３４０とはタッチパネルであってもよい。
【００４５】
具体的には、図１０に示すように、ＣＰＵ３１０は、ディスプレイ３３０に広告に関する情報の入力画面を表示させながら、操作部３４０を介して広告に関する各種情報の入力を受け付ける。本実施の形態においては、通信端末３００に商品の指定や広告のテキストなどを入力するだけで、マッチングサーバ１００Ｂにおいて、メッセージの話者の属性を選択してくれる。
【００４６】
図９に戻って、通信インターフェイス３６０は、ＣＰＵ３１０からのデータを、インターネット、キャリア網、ルータなどを介して、広告サーバ１００Ｃなどの他の装置に送信する。逆に、通信インターフェイス３６０は、インターネット、キャリア網、ルータなどを介して当該他の装置からのデータを受信して、ＣＰＵ３１０に受け渡す。本実施の形態においては、ＣＰＵ３１０は、店舗の管理者などから入力された商品やサービスの広告としてのテキストや画像などのデータを、通信インターフェイス３６０を介して店舗サーバ１００Ｄに送信する。
【００４７】
スピーカ３７０は、ＣＰＵ３１０からのデータに基づいて音声を出力し、マイク３８０は音声を受け付けて音声データをＣＰＵ３１０に入力する。
＜ネットワークシステム１のまとめ＞
【００４８】
このように構成されているため、本実施の形態にかかるネットワークシステム１においては、店舗の管理者や広告担当者などが通信端末３００に商品やサービスの広告のデータを入力すると、当該データが店舗の本社などの店舗サーバ１００Ｄに受け付けられる。なお、店舗の管理者が毎回広告のテキストデータを入力する形態であってもよいし、予め広告サーバ１００Ｃに商品やサービス毎の広告のテキストデータや画像データが登録されており店舗の管理者は通信端末３００から商品やサービスの識別情報を指定するだけで広告サーバ１００Ｃが自動的に登録されている広告に関する各種データをマッチングサーバ１００Ｂに提供するものであってもよい。
【００４９】
店舗サーバ１００Ｄは、入力された広告データを広告サーバ１００Ｃに送信する。広告サーバ１００Ｃは、複数のメーカや小売業者からの広告データを受け付けて、マッチングサーバ１００Ｂに送信する。
【００５０】
マッチングサーバ１００Ｂは、広告データを受け付けると、店舗や業者に対応するジングルを設定して家電制御サーバ１００Ａを介して複数の電気機器２００に広告を出力させるので、電気機器２００のユーザは、ジングルを聞いてどの会社の広告が流れるのかを認識することができる。それによってユーザが興味を持っている会社の商品やサービスの広告を聞き取りやすくなる。
【００５１】
また、マッチングサーバ１００Ｂは、広告データを受け付けると、商品やサービスに対応するキャラクターを設定して家電制御サーバ１００Ａを介して複数の電気機器２００に広告を出力させるので、商品やサービスの販売対象者の好みの音声で商品やサービスの広告を提供することができる。
【００５２】
また、マッチングサーバ１００Ｂは、広告データを受け付けると、商品やサービスのジャンルに適した電気機器２００を介して広告を出力させるので、ユーザが必要な商品やサービスを購入しやすくなる。たとえば、洗剤やタオルなどの広告は洗濯機に出力させることが好ましく、調味料や牛乳などの飲食物は冷蔵庫に出力させることが好ましく、ゲームソフトやオーディオ機器の広告はテレビに出力させることが好ましい。
【００５３】
また、マッチングサーバ１００Ｂは、広告データを受け付けると、商品やサービスのジャンルに対応する電気機器２００に対応するＢＧＭを設定して家電制御サーバ１００Ａを介して広告を出力させるので、ユーザが当該商品やサービスをイメージしやすくなる。
＜第２の実施の形態＞
【００５４】
上記の実施の形態においては、通信端末３００に商品やサービスやそれらのＩＤを入力することによって、マッチングサーバ１００Ｂが、自動的に、商品やサービスやジャンルに適した声色やジングルやＢＧＭを設定するものであった。しかしながら、通信端末３００のＣＰＵ３１０は、ディスプレイ３３０や操作部３４０を介して、商品やサービスやジャンルや広告のテキストやジングルや声色やＢＧＭや出力機器の種類などの組み合わせをマニュアルで受け付けてもよい。たとえば、図１０の「ＡＵＴＯ」の部分を、店舗やメーカの広告担当者が商品やサービス毎にマニュアルで設定してもよい。
【００５５】
この場合は、たとえばマッチングサーバ１００Ｂは、図１１に示すような、広告データ１２５を記憶する。広告データ１２５は、依頼された広告毎に、依頼主のログインＩＤや、広告の対象である商品やサービスの名称や、商品の識別情報や、広告の入力店舗や、広告音声メッセージの声色の種類や、広告のＢＧＭなどが登録される。その後、ＣＰＵ１１０は、広告サーバ１００Ｃから商品やサービスの広告配信の要求を受けると、広告データ１２５を参照して、当該商品やサービスに対応付けられた広告の音声データを作成し、通信インターフェイス１６０を介して家電制御サーバ１００Ａに広告用の音声データを送信する。
＜第３の実施の形態＞
【００５６】
上記の実施の形態においては、広告の依頼者に対応づけてジングルが、商品やサービスに対応付けて音声メッセージの声色が、ジャンルに対応付けて電気機器２００の種類やＢＧＭが設定されるものであった。しかしながら、このような形態には限られない。
【００５７】
たとえば、広告の依頼者に対応づけて声色やＢＧＭが設定されてもよいし、商品やサービスに対応付けて電気機器２００の種類が対応づけられてもよい。
＜第４の実施の形態＞
【００５８】
上記の実施の形態のネットワークシステム１の各装置の役割の一部または全部を他の装置が実行してもよい。たとえば、サーバ１００や電気機器２００や通信端末３００の各々の役割の一部または全部を別の装置が担ったり、それらの装置の１つ１つの役割の一部または全部を、複数の装置で分担したりしてもよい。具体的には、マッチングサーバ１００Ｂと家電制御サーバ１００Ａとが物理的に１つの装置であってもよいし、広告サーバ１００Ｃと店舗サーバ１００Ｄとが物理的に１つの装置であってもよいし、各サーバ１００の役割がクラウド上の複数のサーバに分散されてもよい。
＜まとめ＞
【００５９】
上記の実施の形態においては、電気機器２００と、入力装置３００と、入力装置３００に広告の対象としての入力された商品またはサービスに基づいて第１の音声の種類を特定し、第１の音声の種類に基づいて電気機器に商品またはサービスの広告を音声出力させるためのサーバ１００とを備える、ネットワークシステム１が提供される。
【００６０】
好ましくは、サーバ１００は、さらに、広告の依頼者に基づいて第２の音声の種類を特定し、第２の音声の種類に基づいて電気機器に商品またはサービスの広告を音声出力させる。
【００６１】
好ましくは、第１の音声の種類は、ジングルとＢＧＭと声色のうちの１つである。第２の音声の種類は、ジングルとＢＧＭと声色のうちの別の１つである。
【００６２】
好ましくは、サーバ１００は、さらに、商品またはサービスまたはジャンルまたは広告の依頼者に基づいて広告を音声出力させる電気機器の種類を選択する。
【００６３】
上記の実施の形態においては、入力装置３００に広告の対象としての商品またはサービスが入力されるステップと、サーバ１００が商品またはサービスに対応する第１の音声の種類を特定するステップと、サーバ１００が第１の音声の種類に基づいて電気機器に商品またはサービスの広告を音声出力させるステップとを備える、情報処理方法が提供される。
【００６４】
上記の実施の形態においては、電気機器２００と入力装置３００と通信するための通信インターフェイス１６０と、入力装置３００に広告の対象としての入力された商品またはサービスに基づいて第１の音声の種類を特定し、第１の音声の種類に基づいて電気機器２００に商品またはサービスの広告を音声出力させるためのプロセッサ１１０とを備える、サーバ１００が提供される。
【００６５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６６】
１        ：ネットワークシステム
１００    ：サーバ
１００Ａ  ：家電制御サーバ
１００Ｂ  ：マッチングサーバ
１００Ｃ  ：広告サーバ
１００Ｄ  ：店舗サーバ
１１０    ：ＣＰＵ
１２０    ：メモリ
１２１    ：広告依頼者データ
１２２    ：商品サービスデータ
１２３    ：ジャンルデータ
１２４    ：ユーザデータ
１２５    ：マニュアル広告データ
１４０    ：操作部
１６０    ：通信インターフェイス
２００    ：電気機器
２００Ａ  ：冷蔵庫
２００Ｂ  ：電子レンジ
２００Ｃ  ：エアコン
２００Ｄ  ：スピーカ
２００Ｅ  ：テレビ
２１０    ：ＣＰＵ
２２０    ：メモリ
２３０    ：ディスプレイ
２４０    ：操作部
２６０    ：通信インターフェイス
２７０    ：スピーカ
２８０    ：センサ
２９０    ：機器駆動部
３００    ：通信端末
３００Ａ  ：タブレット
３１０    ：ＣＰＵ
３２０    ：メモリ
３３０    ：ディスプレイ
３４０    ：操作部
３６０    ：通信インターフェイス
３７０    ：スピーカ
３８０    ：マイク
４００    ：ルータ
【図１】
2019152969.tif 000003
【図２】
2019152969.tif 000004
【図３】
2019152969.tif 000005
【図４】
2019152969.tif 000006
【図５】
2019152969.tif 000007
【図６】
2019152969.tif 000008
【図７】
2019152969.tif 000009
【図８】
2019152969.tif 000010
【図９】
2019152969.tif 000011
【図１０】
2019152969.tif 000012
【図１１】
2019152969.tif 000013